(57)【要約】【課題】背の丸くなった人が着用したときに背中側の裾ラインがせり上がってしまうことを抑制するとともに、着用した人が側臥位で寝た場合に、その身体における痛みや違和感の発生を抑制する上衣を提供すること。【解決手段】少なくとも前身頃１１と後身頃１２とが縫製されてなり、後身頃１２のうち、前身頃１１との境界となる端部１２１に存在し、アームホール１３よりも下方となる領域１２４にシャーリング加工１５が施されたことを特徴とする上衣１を用いる。この縮小領域は、上記後身頃において略丈方向に設けられた切替線の背面側境界部に設けてもよい。【選択図】図１
2014237899.tif 000002
【特許請求の範囲】
【請求項１】
少なくとも前身頃と後身頃とが縫製されてなり、
前記後身頃のうち、
前記前身頃との境界となる端部、又は前記後身頃において略丈方向に設けられた切替線の背面側境界部、に存在し、
アームホールよりも下方となる領域にシャーリング加工が施されたことを特徴とする上衣。
【請求項２】
背の丸まった人に適用され、前記シャーリング加工により、丸まった背の形状に追従可能な寸法上のゆとりが背面側に形成されたことを特徴とする請求項１記載の上衣。
【請求項３】
前記シャーリング加工の形成された領域が、前記アームホールの下端から２〜８ｃｍ下側を起点として下方に向けて形成され、その合計の長さが９〜２２ｃｍであり、当該領域におけるシャーリング加工の折り重ねにより、前記端部にて後身頃の寸法が６〜１８ｃｍ縮小されたことを特徴とする請求項１又は２記載の上衣。
【発明の詳細な説明】
【技術分野】
【０００１】
本発明は、上衣に関し、さらに詳しくは、加齢等により背の丸くなった人に好ましく適用される上衣に関する。
【背景技術】
【０００２】
加齢等の理由により背の丸くなった人が通常の上衣を着用すると、丸くなった背の形状が上衣の背面部分の直線的な形状に合致せず、背面部分に窮屈さを感じたり、腕の上げ下げ等の運動において上衣の突っ張りを感じたりすることにより、衣服の快適性を損なう場合がある。また、こうした快適性の他にも、丸くなった背中のカーブの分だけ後身頃の丈が前身頃のそれよりも多く必要となり、図７に示すように、上衣９の裾が水平にならずに背中側の裾ライン９２２が腹側の裾ライン９１２よりもせり上がってしまって外見を損なう場合がある。
【０００３】
このような状況から、例えば特許文献１には、アームホールの下方であり後身頃の脇部分の二カ所にタックを形成させた上衣が提案されている。このような上衣では、後身頃の脇側の着丈を前身頃のそれと等しくしながら後身頃の背面部分の長さを十分に稼ぐことができるので、上衣の背面部分を丸くなった背のラインに合致させて快適性を確保できるとともに、上衣の裾のせり上がりが抑制されて外見も維持される。つまり、通常の上衣では、前身頃及び後身頃の丈を揃えることにより縫製後において前身頃と後身頃との結合部分を段差のない水平な裾となるようにしているが、特許文献１に記載された上衣では、後身頃の丈を背中のラインに合わせて前身頃よりも長くしておき、縫製の際に、前身頃と後身頃との結合部分において後身頃側の長さをタックにより縮小することで、前身頃と後身頃との結合部分を段差のない水平な裾となるようにしながら、背面となる後身頃中心にて着用する人の背のラインに合わせた十分な長さを確保している。
【先行技術文献】
【特許文献】
【０００４】
【特許文献１】特開２００５−１０５５０３号公報
【発明の概要】
【発明が解決しようとする課題】
【０００５】
ところで、タックは、布地を折り返して重ね合わせた状態で縫製されることにより形成され、それが形成された箇所では重ね合わせの分だけ部分的に厚みが大きくなっている。そして、この部分的な厚みにより、タックが形成された箇所では他の布地部分に比べて身体に固く触れることになる。このため、特許文献１に記載された上衣を着用して側臥位で寝る（すなわち、脇を下にして横になった体勢とする）と、体重によって身体にかかる圧力がタック部分において特に大きくなり、時間の経過とともに、タック部分の当っている身体の箇所に痛みを感じたり、違和感を生じたりする場合がある。
【０００６】
本発明は、以上の状況に鑑みてなされたものであり、背の丸くなった人が着用したときに背中側の裾ラインがせり上がってしまうことを抑制するとともに、着用した人が側臥位で寝た場合に、その身体における痛みや違和感の発生を抑制する上衣を提供することを目的とする。
【課題を解決するための手段】
【０００７】
本発明者らは、上記の課題を解決するために鋭意検討を重ねた結果、後身頃の丈を丸くなった背中のラインに合わせて前身頃よりも長くしておき、縫製の際に、アームホールよりも下方となる領域において後身頃側の長さをシャーリング加工により縮小することで上記の課題を全て解決できることを見出し、本発明を完成するに至った。
【０００８】
すなわち本発明は、少なくとも前身頃と後身頃とが縫製されてなり、上記後身頃のうち、上記前身頃との境界となる端部、又は上記後身頃において略丈方向に設けられた切替線の背面側境界部、に存在し、アームホールよりも下方となる領域にシャーリング加工が施されたことを特徴とする上衣である。
【０００９】
上記の上衣は、上記シャーリング加工により、丸まった背の形状に追従可能な寸法上のゆとりが背面側に形成されているので、背の丸まった人に好ましく適用される。
【００１０】
上記シャーリング加工の形成された領域が、上記アームホールの下端から２〜４ｃｍ下側を起点として下方に向けて形成され、その合計の長さが９〜１８ｃｍであり、当該領域におけるシャーリング加工の折り重ねにより、上記端部にて後身頃の寸法が６〜１２ｃｍ縮小されていることが好ましい。
【発明の効果】
【００１１】
本発明によれば、背の丸くなった人が着用したときに背中側の裾ラインがせり上がってしまうことを抑制するとともに、着用した人が側臥位で寝た場合に、その身体における痛みや違和感の発生を抑制する上衣が提供される。
【図面の簡単な説明】
【００１２】
【図１】図１は、本発明の上衣の第一実施形態を人が着用した様子を模式的に示す側面図である。
【図２】図２は、本発明の上衣の第一実施形態における後身頃の半身を示す平面図であり、（ａ）は、縫製前の後身頃の半身を示す平面図であり、（ｂ）は、縫製時の後身頃の半身を示す平面図である。
【図３】図３は、本発明の上衣の第一実施形態を示す背面図である。
【図４】図４は、本発明の上衣の第二実施形態における縫製時の後身頃の半身を示す平面図である。
【図５】図５は、本発明の上衣の第三実施形態における縫製時の後身頃の半身を示す平面図である。
【図６】図６は、通常の上衣を示す背面図である。
【図７】図７は、通常の上衣を人が着用した様子を模式的に示す側面図である。
【発明を実施するための形態】
【００１３】
まず、本発明の上衣の第一実施形態について、図面を参照しながら説明する。図１は、本発明の上衣の第一実施形態を人が着用した様子を模式的に示す側面図である。なお、図１では、理解を容易にするために、アームホール１３に結合される袖の記載を省略した。アームホール１３とネックホール１６との間には肩線１４が存在する。
【００１４】
まず、本実施形態の上衣１の全体像について説明する。上衣１は、少なくとも前身頃１１と後身頃１２とが縫製されてなり、後身頃１２のうち、前身頃１１との境界となる端部１２１に存在し、アームホール１３よりも下方となる領域１２４（以下、「縮小領域」とも呼ぶ。）にシャーリング加工１５が施されている。後に説明するが、後身頃１２の長さは、縫製前において前身頃１１よりも長くなっており、縫製時に縮小領域１２４にて施されたシャーリング加工１５により、端部１２１の長さが前身頃１１の端部１１１の長さとほぼ同じになるまで縮小される。
【００１５】
一方で、後身頃１２の背面側の中心となる後中心１２３の長さは特に縮小を受けずに縫製される。これにより、上衣１では、着用する人の丸まった背の形状に追従可能な寸法上のゆとりが背面側に形成されることになる。
【００１６】
上衣１は以上のような構成を備えるので、これを背の丸まった人が着用した場合には、図７に示す通常の上衣９の場合と異なって、背中側における裾ラインのせり上がりが抑制される。つまり、図７に示す通常の上衣９では、背の丸まった人が着用する場合に必要となる後中心９２３付近の寸法の余裕が考慮されていないので、背の丸まった人が着用した場合に上衣９の背中側の裾ライン９２２が腹側の裾ライン９１２よりもせり上がり、背中の一部が露出するのに対して、図１に示す本実施形態の上衣１では、丸まった背の形状に追従可能な寸法上のゆとりが後身頃１２に設けられているので、背中側の裾ライン１２２が腹側の裾ライン１１２よりもせり上がるのが抑制される。このため、上衣１によれば、背の丸まった人が着用しても背中が露出するのを抑制できる。
【００１７】
ここで、シャーリング加工とタック加工との違いについて説明する。
【００１８】
シャーリング加工は、皺状の折り重ね（ひだ）を複数設けることにより、上記のように、長さを縮小させる効果を備えるものではある。しかしながら、被服業界において、シャーリング加工は、主として衣服の立体的な風合いを演出するためのデザイン的な手段として用いられるものであり、通常、長さを縮小させる手段として用いられるものではない。ここで、シャーリング加工を施す手段の一例として、布地になみ縫いを施した後に、なみ縫いの一端から糸を強く引くことで布地に皺状のひだを生じさせ、その状態で皺状のひだを生じた一端（多くの場合、なみ縫いを施した箇所の付近）をミシン等で縫製して皺状のひだを固定させてから、なみ縫いの糸を抜き去る手法を挙げることができる。このようにして形成されたひだは、ひだの線と直交する方向に沿った一端のみが縫製によって固定される一方で、その他の部分がフリーになっているので、圧力等の外力が加わった際に容易に変形する。また、シャーリング加工では、十分な長さを備えた領域（本実施形態では縮小領域１２４に該当する。）に複数のひだを設けて長さを縮小することができるので、一つ一つのひだによって縮小される長さは小さくなりその厚みが小さくなる。したがって、上衣１に設けられたシャーリング加工１５による皺状のひだは、着用する人が側臥位で寝た際に、体重による圧力が一点に集中しないように適度に変形し、また、体重による圧力でつぶされた際の厚みが小さくなるので、着用する人の身体に痛みや違和感を生じることを抑制する。
【００１９】
これに対してタック加工は、長さを縮小させることを目的としてなされるものであり、デザイン的な要素を付与する意図は全く無い。したがって、タック加工を施す場合、極力これが目立たないようにコンパクトな折り返しを形成させるように縫製を行う。つまり、タック加工では、比較的小さな領域に形成されたタックにより長さを縮小することになる。このようにして形成されたタックは、大きな厚みを備え、かつ変形しにくく固いものであるので、これを側面に備えた上衣を着用した人が側臥位で寝た際に、体重による圧力がこの部分に集中してしまい、身体に痛みや違和感を生じさせることにつながりやすい。このような痛みや違和感は、タック加工を施した部位とその他の部位との境界部分によって顕著に生じる。
【００２０】
本発明者らは、丸まった背の形状に適した上衣を検討する過程において、上記のように、後身頃１２の端部１２１の長さを縮小させる手段としてシャーリング加工が特に優れていることを見出し、本発明を完成させるに至った。そのため、本発明に係る上衣１は、タック加工により後身頃における端部の長さを縮小させてなる従来の上衣に比べて、それを着用する人が側臥位で寝た際の痛みや違和感を軽減させるという顕著な効果を備えるものである。
【００２１】
次に、図２を参照しながら、後身頃１２の形状に焦点を当てつつ上衣１をより具体的に説明する。図２は、本発明の上衣の一実施形態における後身頃の半身を示す平面図であり、（ａ）は、縫製前の後身頃の半身を示す平面図であり、（ｂ）は、縫製後の後身頃の半身を示す平面図である。なお、図２（ｂ）において、後身頃と結合される前身頃の記載を省略した。なお、後身頃１２は、図２（ｂ）に示す半身が、対となる半身と後中心１２３にて結合されたものである。以下の説明では、説明を簡略化して理解を助けるために、後身頃１２の半身を用いて説明する。
【００２２】
縫製前における後身頃１２では、図２（ａ）に示すように、前身頃１１との境界となる端部１２１の長さが後中心１２３の長さに応じて決定される。つまり、端部１２１と後中心１２３とを直立させたときに、裾ライン１２２が略水平になるように端部１２１の長さが決定される。既に述べたように、後中心１２３の長さは、丸まった背中のラインに応じて通常よりも長く設定されるので、この長さに応じて決定された端部１２１の長さは、背の丸まっていない人に適用される標準的な寸法を備えた上衣におけるそれよりも大きなものとなる。その一方で、前身頃１１の寸法は、背の丸みを特に考慮せずに決定されるため、背の丸まっていない人に適用される標準的な寸法を備えた上衣におけるものと近いものになる。
【００２３】
したがって、前身頃１１と後身頃１２との結合部となる、前身頃１１の端部１１１及び後身頃１２の端部１２１の長さは縫製前において互いに異なり、後身頃１２の端部１２１の長さがより長いことになる。そこで、図２（ｂ）に示すように、縫製後の後身頃１２では、端部１２１上であってアームホール１３の下方に、端部１２１の長さを縮小させる縮小領域１２４が形成される。既に述べたように、縮小領域１２４には、シャーリング加工１５による複数の折り重ねが含まれ、この折り重ねによって端部１２１の長さが縮小される。
【００２４】
後身頃１２の端部１２１に縮小領域１２４を形成させるに際しては、縮小領域１２４となる領域の上下から後身頃１２の布地を領域の中心に向けて寄せることで当該領域内に皺を形成させ、その後、形成された皺の一部を覆うように後身頃１２の上方から前身頃１１を被せ、ミシン等により縫製する方法を例示できる。このような手法により、シャーリング加工１５を備えた縮小領域１２４が形成される。なお、縮小領域１２４となる領域内に皺を形成させるに際しては、既に述べたように、糸を用いてなみ縫いを行った後に、その糸を片側から強く引く方法を採用してもよい。
【００２５】
端部１２１は、縮小領域１２４が存在することにより、長さＬだけ縮小されて前身頃１１の端部１１１の長さと等しくなる。これにより、前身頃１１と後身頃１２との結合部では段差のない水平な裾形状となる。
【００２６】
長さＬは、上衣１を着用する人における背の丸まり具合に応じて適宜決定される。例えば、背の丸まり具合の大きい人であれば、前身頃１１の端部１１１（＝後身頃１２の端部１２１）の長さに比べて後中心１２３の長さを大きく取る必要があることから、長さＬが大きくなり、背の丸まり具合の小さい人であれば、前身頃１１の端部１１１（＝後身頃１２の端部１２１）の長さに比べて後中心の１２３の長さをそれほど大きく取らなくともよいので、長さＬが小さくなる。長さＬとしては、６〜１８ｃｍを好ましく挙げることができ、６〜１２ｃｍをより好ましく挙げることができる。
【００２７】
縮小領域１２４は、アームホール１３よりも下方に設けられるが、このときアームホール１３の下端から２〜８ｃｍ下側を起点として下方に向けて形成されることが好ましく、アームホール１３の下端から２〜６ｃｍ下側を起点として下方に向けて形成されることがより好ましく、アームホール１３の下端から２〜４ｃｍ下側を起点として下方に向けて形成されることがさらに好ましい。縮小領域１２４が上記の範囲を起点として下方に向けて形成されることにより、丸みが特に大きくなる背の上方部付近において有効なゆとりを形成させることができるとともに、縮小領域１２４に設けられたシャーリング加工１５がアームホール１３を通る腕と擦れて着用者に違和感を生じさせるのを抑制できるので好ましい。なお、縮小領域１２４を設ける位置は、上記の位置を好ましく挙げることができるが、着用者の背の丸くなっている箇所にゆとりが得られるように適宜設定すればよい。
【００２８】
端部１２１上における縮小領域１２４の長さとしては、９〜２２ｃｍを好ましく挙げることができ、９〜１８ｃｍをより好ましく挙げることができ、９〜１５ｃｍをさらに好ましく挙げることができ、１１〜１３ｃｍを特に好ましく挙げることができる。縮小領域１２４の長さが上記の範囲であることにより、縮小領域１２４に形成されるシャーリング加工１５のひだが深くなりすぎて側臥位で寝た際に身体への痛みや違和感を生じることが抑制されるとともに、丸みが特に大きくなる背の上方部付近において有効なゆとりを形成させることができるので好ましい。なお、縮小領域１２４は上衣１の左右の側面に設けられるが、上述の縮小領域１２４の長さは、片側の側面あたりの長さである。
【００２９】
上衣１の背面図である図３に示すように、上衣１では、後身頃１２における後中心１２３の長さが十分に確保されるとともに、丸い背を収容するためのゆとりがシャーリング加工１５によって背面部分に形成される。これに対して、通常の上衣９の背面図である図６に示すように、通常の上衣９では、丸い背を収容するためのゆとりが背面部分に殆ど無いことが理解される。このことから、本発明に係る上衣１が通常の上衣９に比べて、背の丸くなった人に対して好ましく用いられることがわかる。また、上衣１の縮小領域１２４においてシャーリング加工１５が施されることにより、この種の上衣にて従来用いられてきたタック加工が施された場合よりも、側臥位で寝た場合に生じる身体の痛みや違和感を軽減できることは既に述べた通りである。
【００３０】
次に、本発明の上衣の第二実施形態について図面を参照しながら説明する。図４は、本発明の上衣の第二実施形態における縫製時の後身頃の半身を示す平面図である。第二実施形態では、上記第一実施形態と後身頃の構成が異なり、その他の構成は上記第一実施形態と共通である。そこで、第二実施形態の説明では、第二実施形態における後身頃１２Ａの構成を中心に説明する。なお、後身頃１２Ａについての説明においては、上記第一実施形態における後身頃１２と共通する構成に同一の符号を付し、その説明を省略する。また、後身頃１２Ａは、図４に示す半身が、対となる半身と後中心１２３にて結合されたものである。以下の説明では、説明を簡略化して理解を助けるために、後身頃１２Ａの半身を用いて説明する。
【００３１】
本実施形態における後身頃１２Ａは、その半身が後身頃側部１２Ａ１、後身頃背部１２Ａ２及び後身頃上部１２Ａ３から構成される。そして、後身頃側部１２Ａ１と後身頃背部１２Ａ２とが切替線１２５Ａにより結合されて後身頃１２Ａの下部を構成し、この下部が上下切替線１２６Ａにより後身頃上部１２Ａ３と結合されて後身頃１２Ａの半身となる。後身頃側部１２Ａ１は、後身頃１２Ａにおける切り替えとなっており、機能性を考慮して柔軟性を備えた素材とすることも可能である。
【００３２】
切替線１２５Ａは、後身頃１２Ａにおいて略丈方向に設けられる。ここで、「略丈方向」とは、後身頃１２Ａの上部から下部に延びる方向であれば足り、垂直方向のみならず、垂直から斜めに傾いた方向をも含み、湾曲した線により示される方向であってもよい。
【００３３】
本実施形態では、縮小領域１２４Ａが切替線１２５Ａの背面側境界部に形成される。つまり、縮小領域１２４Ａは、切替線１２５Ａに沿って後身頃背部１２Ａ２に設けられる。この点で、縮小領域１２４が端部１２１に沿って設けられる第一実施形態と異なる。本実施形態において縮小領域１２４Ａが切替線１２５Ａに沿って設けられることにより、本発明の上衣を重ね着したときに、内側の上衣と外側の上衣との間でシャーリング加工が施される位置をずらすことが可能になり、シャーリング加工が施された位置が重なることに伴う、側臥位で寝た際の痛みや違和感の発生を抑制できる。
【００３４】
縮小領域１２４Ａは、シャーリング加工１５Ａを備える。シャーリング加工１５Ａの役割や形成方法は、第一実施形態におけるシャーリング加工１５と同様である。つまり、縮小領域１２４Ａに形成されたシャーリング加工１５Ａは、後身頃背部１２Ａ２の切替線１２５Ａにおける長さを縮小することで、背面部における寸法のゆとりを形成させる。また、縮小領域１２４Ａの上下方向における位置、縮小領域１２４Ａの長さ、及び縮小領域１２４Ａにより縮小される丈の長さについては、第一実施形態と同様である。
【００３５】
次に、本発明の上衣の第三実施形態について図面を参照しながら説明する。図５は、本発明の上衣の第三実施形態における縫製時の後身頃の半身を示す平面図である。第三実施形態では、上記第一実施形態と後身頃の構成が異なり、その他の構成は上記第一実施形態と共通である。そこで、第三実施形態の説明では、第三実施形態における後身頃１２Ｂの構成を中心に説明する。なお、後身頃１２Ｂについての説明においては、上記第一実施形態における後身頃１２と共通する構成に同一の符号を付し、その説明を省略する。また、後身頃１２Ｂは、図５に示す半身が、対となる半身と後中心１２３にて結合されたものである。以下の説明では、説明を簡略化して理解を助けるために、後身頃１２Ｂの半身を用いて説明する。
【００３６】
本実施形態における後身頃１２Ｂは、その半身が後身頃側部１２Ｂ１及び後身頃背部１２Ｂ２から構成される。そして、後身頃側部１２Ｂ１と後身頃背部１２Ｂ２とが切替線１２５Ｂにより結合されて後身頃１２Ｂの半身となる。後身頃側部１２Ｂ１は、後身頃１２Ｂにおける切り替えとなっており、機能性を考慮して柔軟性を備えた素材とすることも可能である。
【００３７】
切替線１２５Ｂは、後身頃１２Ｂにおいて略丈方向に設けられる。「略丈方向」については既に述べた通りであるので、ここでの説明を省略する。
【００３８】
本実施形態では、縮小領域１２４Ｂが切替線１２５Ｂの背面側境界部に形成される。つまり、縮小領域１２４Ｂは、切替線１２５Ｂに沿って後身頃背部１２Ｂ２に設けられる。そして、縮小領域１２４Ｂは、シャーリング加工１５Ｂを備える。その他の点について、本実施形態は上記第二実施形態と共通するので、ここでの説明を省略する。
【００３９】
以上、具体的な実施形態を示すことにより本発明の上衣を詳しく説明したが、本発明は、以上の実施形態に何ら限定されるものでなく、本発明の範囲において適宜変更を加えて実施することが可能である。
【００４０】
例えば、上記実施形態では縮小領域１２４、１２４Ａ及び１２４Ｂが左右の側部に一箇所ずつ設けられたが、縮小領域は、複数の箇所に分割して設けることが可能である。この場合、縮小領域の合計の長さは、片側の側部あたりの合計として９〜２２ｃｍを好ましく挙げることができ、９〜１８ｃｍをより好ましく挙げることができ、９〜１５ｃｍをさらに好ましく挙げることができ、１１〜１３ｃｍを特に好ましく挙げることができる。
【００４１】
また、上記実施形態では前身頃１１と後身頃１２とが直接結合されたが、上衣の側部に設けられるアームホールの位置を調節する等の目的により、前身頃と後身頃との間に別の布地を設けてもよい。この場合、設けられた別の布地と前身頃とを合わせたものが本発明における前身頃となる。
【符号の説明】
【００４２】
１      上衣
１１    前身頃
１２    後身頃
１２１  端部
１２４、１２４Ａ、１２４Ｂ    縮小領域
１２５Ａ、１２５Ｂ    切替線
１３    アームホール
１５、１５Ａ、１５Ｂ    シャーリング加工
【図１】
2014237899.tif 000003
【図２】
2014237899.tif 000004
【図３】
2014237899.tif 000005
【図４】
2014237899.tif 000006
【図５】
2014237899.tif 000007
【図６】
2014237899.tif 000008
【図７】
2014237899.tif 000009